(57)【要約】【課題】接続した表示装置の色の階調表現に合った出力レンジに調整することができるビデオ出力装置を提供する。【解決手段】記録媒体に記録されたビデオ信号を再生する再生手段と、表示装置から当該表示装置の仕様情報を取得する取得手段と、再生手段により再生されたビデオ信号の出力レンジを調整するレンジ調整手段と、取得手段により取得された仕様情報に基づいて、レンジ調整手段に再生手段により再生されたビデオ信号を表示装置の色の階調表現に合う出力レンジに調整させる制御をする制御手段を備える。【選択図】  図１
2007281544.tif 000002
【特許請求の範囲】
【請求項１】
表示装置に接続されビデオ信号を当該表示装置へ出力するビデオ出力装置において、
記録媒体に記録されたビデオ信号を再生する再生手段と、
表示装置から当該表示装置の仕様情報を取得する取得手段と、
前記再生手段により再生されたビデオ信号の出力レンジを調整するレンジ調整手段と、
前記取得手段により取得された仕様情報に基づいて、前記レンジ調整手段に前記再生手段により再生されたビデオ信号を表示装置の色の階調表現に合う出力レンジに調整させる制御をする制御手段と、
前記レンジ調整手段により出力レンジが調整されたビデオ信号を表示装置へ出力する出力手段とを備えることを特徴とするビデオ出力装置。
【発明の詳細な説明】
【技術分野】
【０００１】
本発明は、ビデオ信号を表示装置へ出力するビデオ出力装置に関する。
【背景技術】
【０００２】
従来、パーソナルコンピュータやＤＶＤ（Digital Versatile Disc）プレーヤ等のビデオ出力装置から入力されたビデオ信号を表示する表示装置には、当該表示装置の仕様に関するＥＤＩＤ（Extended Display Identification Data）情報が予め記憶された表示装置がある。このＥＤＩＤ情報が記憶された表示装置としては、主にパーソナルコンピュータにおいて使用されるＤＶＩ（Digital Visual Interface）を備えたモニターや、液晶ディスプレイやプラズマディスプレイ等のＨＤＭＩ（High Definition Multimedia Interface）を備えたデジタルディスプレイがある。
【０００３】
モニターやデジタルディスプレイ等の表示装置に接続されるパーソナルコンピュータやビデオ出力装置は、これらの表示装置に記憶されているＥＤＩＤ情報をＤＤＣ(Display Data Channel)通信を用いて読み出すことができる（例えば特許文献１参照）。
【０００４】
【特許文献１】特開平１１−２３１９９４号公報
【発明の開示】
【発明が解決しようとする課題】
【０００５】
パーソナルコンピュータに使用されるモニターでは、色の階調表現が２５６段階（０‐２５５）であり、Ｒ（赤）＝０、Ｇ（緑）＝０、Ｂ（青）＝０のとき黒を表示し、Ｒ（赤）＝２５５、Ｇ（緑）＝２５５、Ｂ（青）＝２５５のとき白を表示する。一方、液晶ディスプレイやプラズマディスプレイ等のデジタルディスプレイでは、色の階調表現が２２０段階（１６‐２３５）であり、Ｒ（赤）＝１６、Ｇ（緑）＝１６、Ｂ（青）＝１６のとき黒を表示し、Ｒ（赤）＝２３５、Ｇ（緑）＝２３５、Ｂ（青）＝２３５のとき白を表示する。
【０００６】
このように、表示装置の種類によって色の階調表現が異なるため、ユーザは、ビデオ信号の出力レベルを調整し、全ての色階調を表示できるように出力レンジを設定する必要がある。従来、ユーザは、ビデオ出力装置により表示装置から取得されたＥＤＩＤ情報または表示装置の取扱説明書の記載を確認して、接続した表示装置の色の階調表現に合った出力レンジを設定する操作をしていた。
【０００７】
このため、従来のビデオ出力装置では、接続する表示装置を替えると、当該表示装置の色の階調表現に合った出力レンジを再設定する必要があり、ユーザはその都度、当該表示装置の色の階調表現に合った出力レンジを設定する操作をしなければならない。特に、１台のビデオ出力装置で、複数の表示装置を切替えて使用する場合では、ユーザは、表示装置を切替える度に、切替えた表示装置の色の階調表現に合った出力レンジを設定する操作をしなければならない。したがって、表示装置を替える度に、表示装置の色の階調表現に合った出力レンジを設定する操作をすることは、ユーザにとって手間がかかり面倒である。
【０００８】
本発明は、上記の課題を解決するためになされたものであり、ユーザが操作することなしに、表示装置に出力するビデオ信号を接続された表示装置の色の階調表現に合った出力レンジに調整することができるビデオ出力装置を提供することを特徴とする。
【課題を解決するための手段】
【０００９】
上記の課題を解決するために、本願の請求項１に記載の発明は、表示装置に接続されビデオ信号を当該表示装置へ出力するビデオ出力装置において、記録媒体に記録されたビデオ信号を再生する再生手段と、表示装置から当該表示装置の仕様情報を取得する取得手段と、前記再生手段により再生されたビデオ信号の出力レンジを調整するレンジ調整手段と、前記取得手段により取得された仕様情報に基づいて、前記レンジ調整手段に前記再生手段により再生されたビデオ信号を表示装置の色の階調表現に合う出力レンジに調整させる制御をする制御手段と、前記レンジ調整手段により出力レンジが調整されたビデオ信号を表示装置へ出力する出力手段とを備えることを特徴とする。
【発明の効果】
【００１０】
本発明によれば、ユーザが操作することなしに、表示装置に出力するビデオ信号を接続された表示装置の色の階調表現に合った出力レンジに調整することができるビデオ出力装置を提供することができる。
【発明を実施するための最良の形態】
【００１１】
以下、本発明の実施の形態を図面を参照して説明する。
図１は、本発明の一実施例であるビデオ出力装置の構成を示すブロック図である。図１において、１はターンテーブル、２はスピンドルモータ、３はサーボ制御部、４は光ピックアップ、５は再生アンプ、６は信号分離部、７はオーディオ信号処理部、８はオーディオ出力部、９はビデオ信号処理部、１０はレンジ調整部、１１はビデオ出力部、１２は制御部、１３はＤＤＣ(Display Data Channel)通信部を示す。本実施例の再生装置は、例えば、ＤＶＤプレーヤやＤＶＤドライブを備えたパーソナルコンピュータである。
【００１２】
スピンドルモータ２に固定されたターンテーブル１は、ＤＶＤを装着する。図示しない操作部から再生開始の指示が入力されると、サーボ制御部３は、スピンドルモータ２を所定の線速度で回転駆動させる制御をする。また、サーボ制御部３は、光ピックアップ４からのレーザ光がＤＶＤのピット列に正しく追随し、ピット上に合焦するように、図示しないトラッキングサーボ回路とフォーカスサーボ回路を制御する。
【００１３】
光ピックアップ４が読み取った信号は、再生アンプ５により波形整形及び増幅され信号分離部６に入力される。信号分離部６は、再生アンプ５から入力された信号をデジタルオーディオ信号とデジタルビデオ信号に分離する信号処理をする。
【００１４】
オーディオ信号処理部７は、信号分離部６により分離されたデジタルオーディオ信号をデコードする。オーディオ信号処理部７によりデコードされたデジタルオーディオ信号は、オーディオ出力部８に備えられた図示しないデジタル出力端子からＡＶ（Audio Visual）アンプのデジタル入力端子に入力される。また、オーディオ信号処理部７は、デコードしたデジタルオーディオ信号を各チャンネルのデジタルオーディオ信号に分離する信号処理をする。各チャンネルに分離されたデジタルオーディオ信号は、オーディオ出力部８によりアナログ信号に変換され、オーディオ出力部８に備えられた図示しないアナログ出力端子からＡＶアンプのアナログ入力端子に入力される。
【００１５】
ビデオ信号処理部９は、MPEG（Moving Picture Experts Group）方式の伸長プロトコルにより信号分離部６から入力されたデジタルビデオ信号をデコードする。ビデオ信号処理部１０によりデコードされたデジタルビデオ信号は、レンジ調整部１０に入力される。レンジ調整部１０は、制御部１２の制御により、ビデオ信号処理部９から入力されたデジタルビデオ信号の色の階調表現のレンジを調整する。レンジ調整部１０によりレンジが調整されたデジタルビデオ信号は、ビデオ出力部１１に備えられた図示しないデジタル出力端子からモニターやデジタルディスプレイ等の表示装置のデジタル入力端子に入力される。
【００１６】
制御部１２は、本実施例のビデオ出力装置を統括的に制御する。ＤＤＣ通信部１３は、図示しない通信線を介して本実施例のビデオ出力装置に接続された表示装置と接続されている。ＤＤＣ通信部１３は、制御部１２の制御により、通信線を介して表示装置に記憶されているＥＤＩＤ情報などの表示装置に関する情報を取得する。取得されたＥＤＩＤ情報などの情報は、制御部１２に入力される。
【００１７】
表示装置に記憶されているＥＤＩＤ情報は、図２に示すようにＥＤＩＤヘッダ情報、ＥＤＩＤバージョン情報、仕様情報等の情報から構成されている。図２は、ＥＤＩＤ情報の構成を示す図である。図２に示すＥＤＩＤヘッダ情報は、ＥＤＩＤ情報のヘッダを示す情報であり、ＥＤＩＤバージョン情報は、ＥＤＩＤ情報のバージョンを示す情報である。また、仕様情報には、表示装置の仕様を示す情報であり、解像度、アスペクト比、フレームレート、ＲＧＢ特性、メーカー識別子、モデル名等の情報が含まれる。
【００１８】
次に、本実施例のビデオ出力装置におけるビデオ信号の出力レンジの調整について説明する。
本実施例のビデオ出力装置に表示装置が接続されると、制御部１２は、表示装置が接続されたことを認識し、表示装置からＤＤＣ通信部１３を介してＥＤＩＤ情報を取得させる制御をする。ＤＤＣ通信部１３は表示装置から取得したＥＤＩＤ情報を制御部１２へ入力する。制御部１２は、入力されたＥＤＩＤ情報の中からＲＧＢ特性情報を抽出し、抽出したＲＧＢ特性情報に基づいて接続した表示装置の色の階調表現に合うようにレンジ調整部１０を制御する。制御部１２は、表示装置が接続されたことを認識するたびに、上述した制御を行う。
【００１９】
本実施例のビデオ出力装置に接続された表示装置がＤＶＩに対応したパーソナルコンピュータに使用されるモニターである場合、制御部１２は、色の階調表現のレンジを２５６段階になるようにレンジ調整部１０を制御する。この場合において、制御部１２は、記録媒体から読み出した記録データを管理する管理情報から当該記録媒体に記録されたビデオ信号の色の階調表現が２５６段階であるとき、当該記録媒体から再生されるビデオ信号のレンジを調整しないようにレンジ調整部１０を制御する。
【００２０】
また、本実施例のビデオ出力装置に接続された表示装置がＨＤＭＩに対応したデジタルディスプレイである場合、制御部１２は、色の階調表現のレンジを２２０段階になるようにレンジ調整部１０を制御する。この場合において、制御部１２は、記録媒体から読み出した記録データを管理する管理情報から当該記録媒体に記録されたビデオ信号の色の階調表現が２２０段階であるとき、当該記録媒体から再生されるビデオ信号のレンジを調整しないようにレンジ調整部１０を制御する。
【００２１】
したがって、本実施例のビデオ出力装置は、ユーザが自ら操作することなしに、接続した表示装置の色の階調表現に合うデジタルビデオ信号に調整することができ、表示装置において本実施例のビデオ出力装置から入力されたビデオ信号を正しくカラー表示することができる。
【図面の簡単な説明】
【００２２】
【図１】本発明の実施例であるビデオ出力装置の構成を示すブロック図。
【図２】ＥＤＩＤ情報の構成を示す図。
【符号の説明】
【００２３】
１…ターンテーブル、２…スピンドルモータ、３…サーボ制御部、４…光ピックアップ、５…再生アンプ、６…信号分離部、７…オーディオ信号処理部、８…オーディオ出力部、９…ビデオ信号処理部、１０…レンジ調整部、１１…ビデオ出力部、１２…制御部、１３…ＤＤＣ通信部
【図１】
2007281544.tif 000003
【図２】
2007281544.tif 000004